(57)【要約】      （修正有）【課題】確実な安全性が得られ、操作する上で事故の心配のないセーフティーカバーを具えた密封装置を提供する。【解決手段】少なくとも密封装置本体２とセーフティーカバー３とを含んでなり、該密封装置本体が少なくともフィルム供給機構２１と、プレス金型機構２２と、支持座２３と、押上げ機構２４と、及び操作パネル２５と、を具えてなり、該セーフティーカバーが少なくともベース部３１と上カバー３２とを具え、該ベース部が該密封装置本体の底部正面側に固定され、かつ該ベース部の上端縁部の少なくとも一方の側に近接スイッチＡを設け、該上カバーが該ベース部の対応する位置に、支軸３２１によって回動自在に支持されるとともに、該上カバーの下端縁部であって該ベース部の該近接スイッチに対応する位置に他の近接スイッチＢを設ける。【選択図】図４
0003226101.tif 000002
【実用新案登録請求の範囲】
【請求項１】
少なくとも密封装置本体とセーフティーカバーとを含んでなり、
該密封装置本体が少なくともフィルム供給機構と、プレス金型機構と、支持座と、押上げ機構と、及び操作パネルと、を具えてなり、
該セーフティーカバーが少なくともベース部と上カバーとを具え、
該ベース部が該密封装置本体の底部正面側に固定され、かつ該ベース部の上端縁部の少なくとも一方の側に近接スイッチを設け、
該上カバーが該ベース部の対応する位置に、支軸によって回動自在に支持されるとともに、該上カバーの下端縁部であって該ベース部の該近接スイッチに対応する位置に他の近接スイッチを設けることを特徴とするセーフティーカバーを具える密封装置。
【請求項２】
前記ベース部に設けた該近接スイッチが、該密封装置本体のフィルム供給機構と、プレス金型機構と、支持座と、及び操作パネルの制御回路に電気的に接続することを特徴とする請求項１に記載のセーフティーカバーを具える密封装置。
【請求項３】
前記上カバーの外周側面に把手を設けることを特徴とする請求項１に記載のセーフティーカバーを具える密封装置。
【請求項４】
前記上カバーの上面に光透過性の面カバーを設けることを特徴とする請求項１に記載のセーフティーカバーを具える密封装置。
【請求項５】
前記密封装置本体上であって、かつ該上カバーが上方に回転して開放されて該密封装置本体に最も近付いた位置に対応する位置に、弾性を有する緩衝パッドを設けることを特徴とする請求項１に記載のセーフティーカバーを具える密封装置。
【請求項６】
少なくとも密封装置本体とセーフティーカバーとを含んでなり、
該密封装置本体が少なくともフィルム供給機構と、プレス金型機構と、支持座と、押上げ機構と、及び操作パネルと、を具えてなり、
該セーフティーカバーが少なくともベース部と上カバーとを具え、
該ベース部が該密封装置本体の底部正面側に固定され、
該密封装置本体の両側面壁の内の少なくとも一方の側に近接スイッチを設け、
該ベース部が該密封装置本体の底部正面側に固定され、
該上カバーが該ベース部の両側面壁に、支軸によって回動自在に支持されるとともに、該上カバーの両側の内の少なくとも一方の側に他の近接スイッチを設けることを特徴とするセーフティーカバーを具える密封装置。
【請求項７】
前記密封装置本体に設けた該近接スイッチが、該密封装置本体のフィルム供給機構と、プレス金型機構と、支持座と、及び操作パネルの制御回路に電気的に接続することを特徴とする請求項６に記載のセーフティーカバーを具える密封装置。
【請求項８】
前記上カバーの両側板には円弧状を呈するガイド溝を形成し、かつ該ガイド溝を貫通して該ベース部の両側板に、位置決め部材を固設することを特徴とする請求項６に記載のセーフティーカバーを具える密封装置。
【請求項９】
前記上カバーの上面に把手を設けることを特徴とする請求項６に記載のセーフティーカバーを具える密封装置。
【請求項１０】
前記上カバーが光透過性の面カバーを具えることを特徴とする請求項６に記載のセーフティーカバーを具える密封装置。
【考案の詳細な説明】
【技術分野】
【０００１】
この考案は容器の開口部を密封する密封装置に関し、特に飲料などを収納するカップ型容器の開口部の密封加工の作業において作業者が手に傷を受けることを防ぎ、作業上の安全を確保するためのセーフティーカバーを具えた密封装置に関する。
【背景技術】
【０００２】
目下、所謂ハンドシェイクドリンクは、店頭で販売する際に、消費者の異なるニーズに応えるべく、例えば、甘みの増減、氷、ミルクなどの量の調整、もしくはティー、コーヒーの濃度を調整して販売されている。
【０００３】
上述するハンドシェイクドリンクは、出来上がってからカップ型の容器に入れ、最終的に該容器の開口部を密封装置で密封し、携帯及び飲用の便宜を図る。従来の密封装置は、フィルムを蓋材とし、飲料を入れる容器を密封することで容器の開口部を密封するという目的は十分に達している。然しながら、従来の密封装置で容器の開口部を密封する作業では、予期せず作業者が手を密封装置に挟まれるという事故が発生する。このため、目下市販されている従来の密封装置は、そのほとんどが、例えば図１、２に開示するセーフティーガード１１のような安全手段が設けられている。セーフティーガード１１は、タッチスイッチ１１１に接続する。タッチスイッチ１１１は、さらに容器の蓋材を送る密封装置１の送りモータ１２と、及び熱シール用モータ１３とに接続する。係る装置によって容器の開口部を密封する作業を行なう場合、作業者の手が装置内に入りすぎてセーフティーガード１１に接触すると、セーフティーガード１１がタッチスイッチ１１１を起動させ、次いでタッチスイッチ１１１によって送りモータ１２と熱シール用モータ１３とが即時停止する。したがって、作業者の手がホットプレス金型１３１に押し潰されることを防ぐ目的を達成する。
【０００４】
上述する従来の密封装置１のセーフティーガード１１にタッチスイッチ１１を組み合わせるデザインは、事故防止という求められた目的を達成しているように見えるが、但し、セーフティーガード１１は、長期間使用すると、機械的な故障が極めて容易に発生する。また、一方ではタッチスイッチ１１１は電子デバイスであるため、一定の期間使用すると容易に故障が発生し、正常な作動ができなくなる。セーフティーガード１１であろう、タッチスイッチ１１１であろうと、これらの故障は密封装置１全体の正常な作動を妨げ、もしくは本来得られるべきシステムの安全性を失わせる。よって、さらに一歩進んで密封装置１の安全性を高め、作業者の身体の安全を確保する必要がある。
【考案の概要】
【考案が解決しようとする課題】
【０００５】
この考案は、確実な安全性が得られ、操作する上で事故の心配のないセーフティーカバーを具えた密封装置を提供することを課題とする。
【課題を解決するための手段】
【０００６】
そこで、この考案による密封装置は、少なくとも密封装置本体とセーフティーカバーとを含んでなり、該密封装置本体が少なくともフィルム供給機構と、プレス金型機構と、支持座と、押上げ機構と、及び操作パネルと、を具えてなる。
【０００７】
該セーフティーカバーは少なくともベース部と上カバーとを具え、該ベース部が該密封装置本体の底部正面側に固定されるとともに、該ベース部は収納空間を具え、該密封装置本体のテーブルが移動して該密封装置本体から外方向に凸出すると、該収納空間に収納される。また、該ベース部の上端縁部の少なくとも一方の側には近接スイッチを設ける。該近接スイッチは該密封装置本体の各手段の制御回路に電気的に接続する。
【０００８】
該上カバーは該ベース部の対応する位置に、支軸によって回動自在に支持される。該上カバーの外周側面には把手を設ける。よって、作業者は該把手を把持して該上カバー開閉の動作を行なう。また、該上カバーにも収納空間が形成され、該密封装置本体のテーブルが移動して該密封装置本体から外方向に凸出すると、該収納空間に収納される。該上カバー上面には光透過性の面カバーを設け、該上カバーの下端縁部であって該ベース部の該近接スイッチに対応する位置に他の近接スイッチを設ける。
【０００９】
作業者が開口部を密封せんとする容器を容器支持座に載置し、容器開口部の密封を行なう場合、該把手を把持して該上カバーを被せると、該上カバーの近接スイッチが該ベース部の該近接スイッチに対応しているため、該近接スイッチが即応して該密封装置本体の各システムを構成する手段の制御回路に信号を出力する。然る後に、制御パネルの制御ボタン１を操作して該密封装置本体の各システムを構成する手段の操作を進行させる。次いで、作業者は従来の一般的な密封装置と同様の操作を行なう。制御パネルの制御ボタンを押下してフィルム供給機構と、プレス金型機構と、支持座と、押上げ機構などの各手段を設定に従って作動させて容器の開口部の密封作業を進行させる。
【００１０】
容器開口部の密封が完成した後は、該支持座のテーブルと、該押上げ機構の該容器支持座とが、開口部の密封を完成させた容器を該密封装置本体の外部に送り出す。よって、作業者の両手は該上カバーを操作し、該密封装置本体から離れた状態となり、該密封装置本体によって密封を行なう過程において作業者の手を傷つけることなく、作業の安全を確保することができる。
【図面の簡単な説明】
【００１１】
【図１】従来の密封装置の外観と一部の内部構造とを示した説明図である。
【図２】従来の密封装置の内部構造とセーフティーガードとを示した説明図である。
【図３】この考案による密封装置を分解した状態を示した説明図である。
【図４】この考案による密封装置の動作を示した説明図である。
【図５】この考案による密封装置の動作を示した他の説明図である。
【図６】この考案による密封装置の動作を示した別の説明図である。
【図７】他の実施の形態による密封装置を分解した状態を示した説明図である。
【図８】他の実施の形態による密封装置の動作を示した説明図である。
【図９】他の実施の形態による密封装置の動作を示した他の説明図である。
【図１０】他の実施の形態による密封装置の動作を示した別の説明図である。
【考案を実施するための形態】
【実施例１】
【００１２】
図３．４に開示するように、この考案によるセーフティーカバーを具えた密封装置は、密封装置本体２と、セーフティーカバー３とを含んでなる。
【００１３】
密封装置本体２は、少なくともフィルム供給機構２１と、プレス金型機構２２と、支持座２３と、押上げ機構２４と、及び操作パネル２５と、を具える。
【００１４】
フィルム供給機構２１は、駆動ローラセット２１１と従動ローラセット２１２とを具え、駆動ローラセット２１１はモータ２１３による動力の出力によって駆動し、かつ駆動ローラセット２１１は従動ローラセット２１２にセットしたフィルムの巻取りの動作を行なう。
【００１５】
プレス金型機構２２は、ホットプレス金型２２１を具え、かつモータ２２２の動力を受けて駆動し、フィルムを下方に押圧して密封の動作を行なうとともに、フィルムの切断の動作を行なう。ホットプレス金型２２１の前方には可動セーフティーガード２２３を設ける。可動セーフティーガード２２３はタッチスイッチ２２４に接続する。
【００１６】
支持座２３は、テーブル２３１を具え、テーブル２３１には中空状の押圧受け底部金型２３２を設ける。押圧受け底部金型２３２は、プレス金型機構２２のホットプレス金型２２１によるフィルム押圧の動作進行に供する。テーブル２３１はモータ２３３によって駆動し、且つ支持座２３をして位置を前後にシフトする動作を可能ならしめ、これによりテーブル２３１が移動して密封装置本体２の両側壁の外に凸出するとともに、テーブル２３が密封装置本体２の内部に進入して、ホットプレス金型２２１によるホットプレスの進行に供する。
【００１７】
押上げ機構２４は、ヘッダー部２４１を具え、ヘッダー部２４１の両側にプーリー２４２を設ける。ヘッダー部２４１は容器を載置する容器支持座２４３に連結し、密封装置本体２の底部には、両側の出入り口の箇所の内側に、斜め上に向かうスライドブロック２４４をそれぞれ設ける。係る構成によれば、支持座２３が密封装置本体２の出入り口まで移動させられると、ヘッダー部２４１下方のプーリー２４２がスライドブロック２４４の位置に至り、そのままの勢いで容器支持座２４１を上方に押上げる。よって、容器の上端縁部が支持座２３の押圧受け底部金型２３２の上方に至るまで上昇する。このため、作業者による容器の載置、又は取り出しが容易で便利になる。
【００１８】
制御パネル２５は、実施例においては密封装置本体２の正面側に位置するよう設け、かつ複数の制御ボタン２５１を設けてなる。制御ボタン２５１は複数の制御回路を介して例えばフィルム供給機構２１、プレス金型機構２２、支持座２３などのシステムに接続し、密封装置本体２内のこれらシステムの手段を直接、又は間接的に作動させる。
【００１９】
セーフティーカバー３は、少なくともベース部３１と上カバー３２とを具えてなり、セーフティーカバー３のベース部３１は密封装置本体２の底部正面側に固定する。また、ベース部３１は収納空間３１１を具え、支持座２３が移動して密封装置本体２から外方向に凸出し、収納空間３１１に収納される。ベース部３１の上端縁部の少なくとも一方の側には近接スイッチＡを設ける。近接スイッチＡは密封装置本体２のフィルム供給機構２１、プレス金型機構２２、又は支持座２３など各部の制御回路に電気的に接続する。
【００２０】
上カバー３２はベース部３１の対応する位置の上に、支軸３２１によって回動自在に支持する。上カバー３２の外周側面には把手３２２を設ける。よって、作業者は把手３２２を把持して上カバー３２の開閉の動作を行なうことができる。また、上カバー３２は収納空間３２３を具え、テーブル２３１が移動して密封装置本体２から凸出して収納空間３２３に収納される。さらに、上カバー３２の上面には光透過性の面カバー３２４を設けるとともに、上カバー３２の下端縁部であって、かつベース部３１の近接スイッチＡに対応する位置に近接スイッチＢを設ける。
【００２１】
図４から６に開示するように、この考案による密封装置によって容器開口部を密封する場合、操作パネル２５の制御ボタン２５１を操作して支持座２３のテーブル２３１と押上げ機構２４の容器支持座２４３とを作動させると、両側のスライドブロック２４４に沿って移動して密封装置本体２の外部に凸出する。この場合、密封装置本体２の外部に凸出した容器支持座２４３は、丁度ベース部３１の収納空間３１１内に位置する。この状態において、作業者は、開口部を密封せんとする容器を容器支持座２４３に載置することができる。次いで、把手３２２を把持して上カバー３２を被せると、上カバー３２の近接スイッチＢがベース部３１の近接スイッチＡに対応しているため、近接スイッチＡは即応して密封装置本体２の各システムを構成する手段の制御回路に信号を出力する。好ましくは、ベース部３１の上端縁部に設ける近接スイッチＡと上カバー３２の近接スイッチＢとは、両者をそれぞれベース部３１の上端縁部の内側と上カバー３２の上端縁部の内側とに設け、外部から他の物体がぶつかることで近接スイッチＡと近接スイッチＢとが損壊する事態が容易に起きないようにする。
【００２２】
上述するように、上カバー３２の近接スイッチＢがベース部３１の近接スイッチＡに対応しているため、近接スイッチＡは密封装置本体２の各システムを構成する手段の制御回路に信号を出力し、然る後、制御パネル２５の制御ボタン２５１を操作して密封装置本体２の各システムを構成する手段の操作を進行させる。次いで、作業者は従来の一般的な密封装置と同様の操作を行なう。制御パネル２５の制御ボタン２５１を押下してフィルム供給機構２１と、プレス金型機構２２と、支持座２３と、押上げ機構２４などの各手段を設定に従って作動させて容器の開口部の密封作業を進行させる。
【００２３】
容器開口部の密封が完成した後は、支持座２３のテーブル２３１と、押上げ機構２４の容器支持座２４３とが、開口部の密封を完成させた容器を密封装置本体２の外部に送り出す。この場合、光透過性の面カバー３２４を介して開口部の密封を完成させた容器が密封装置本体２の外部に確実に送り出されたか確認することができる。容器の送り出しを視認した後、作業者は把手３２２を再度把持して上カバー３２を開放し、容器を取り出すことができる。また密封装置本体２には、上カバー３２が上方に回転して開放され、かつ密封装置本体２に最も近付いた位置に対応して、弾性を有する緩衝パッド２６を設けてもよい。緩衝パッド２６を設けることによって、上カバー３２が回転して開放され、かつ密封装置本体２に最も近付いた場合にぶつかって衝撃を受けても、係る衝撃を緩衝することができ、上カバー３２を保護し構造上の安全性を達成する効果が得られる。同時に、上カバー３２を上方に回転させた場合、密封装置本体２に靠れかかった状態となり、位置決めされる。
【００２４】
また、上カバー３２を上方向に回転させると、上カバー３２の近接スイッチＢがベース部３１の近接スイッチＡとのセンサ状態から離れる。この場合、ベース部３１の近接スイッチＡは、例えばフィルム供給機構２１、プレス金型機構２２、支持座２３、押上げ機構２４などの密封装置本体２のそれぞれの手段の制御回路に信号を出力して作動を中断させる。この場合、制御ボタン２５１を操作しても、密封装置本体２のそれぞれの手段であるフィルム供給機構２１、プレス金型機構２２、支持座２３、押上げ機構２４は完全に停止して作動せず、再度作業者が上カバー３２を操作し、かつ上カバー３２の近接スイッチＢが再度ベース部３１の近接スイッチＡに反応してセンサ状態になってはじめてフィルム供給機構２１、プレス金型機構２２、支持座２３、押上げ機構２４の正常な機能が回復する。よって、作業者の両手は上カバー３２を操作し、密封装置本体２から離れた状態となり、密封装置本体２によって密封を行なう過程において作業者の手を傷つけることなく、作業の安全を確保することができる。
【実施例２】
【００２５】
図７、８に、この考案の他の実施の形態を開示する。図面に開示するように、密封装置本体２は、前掲の実施例の如く少なくともフィルム供給機構２１と、プレス金型機構２２と、支持座２３と、押上げ機構２４と、及び操作パネル２５と、を含んでなり、それぞれの手段の構造及び動作も同様である。但し、テーブル２３１が移動して密封装置本体２から凸出する動作に供する密封装置本体２の両側面壁の内の少なくとも一方の側に近接スイッチＡを設け、かつ近接スイッチＡを密封装置本体２のフィルム供給機構２１と、プレス金型機構２２と、支持座２３と、押上げ機構２４と、及び操作パネル２５とに電気的に接続する。
【００２６】
セーフティーカバー４は、少なくともベース部４１と上カバー４２とを具えてなる。ベース部４１は密封装置本体２の底部正面側に固定する。また、ベース部４１は収納空間４１１を具え、密封装置本体２の支持座２３が移動して密封装置本体２から凸出し、収納空間４１１に収納される。
【００２７】
上カバー４２はベース部４１の両側に、支軸４２１によって回動自在に支持する。上カバー４２の両側板には円弧状を呈するガイド溝４２２を形成し、かつガイド溝４２２を貫通してベース部４１の両側板に、位置決め部材４２３を固設する。また、上カバー４２の上面には把手４２４を設けるとともに、上カバー４２には光透過性の面カバー４２５を設け、かつ上カバー４２の両側の内の少なくとも一方には近接スイッチＢを設ける。
【００２８】
上述の如く構成してなる密封装置は、図８から図１０に開示するように、容器開口部を密封する場合、操作パネル２５の制御ボタン２５１を操作して支持座２３のテーブル２３１と押上げ機構２４の容器支持座２４３とを作動させて密封装置本体２の外部に凸出させる。密封装置本体２の外部に凸出した容器支持座２４３は、丁度ベース部４１の収納空間４１１内に位置する。この状態において、作業者は、開口部を密封せんとする容器を容器支持座２４３に載置することができる。次いで、把手４２４を把持して上カバー４２を被せると、上カバー４２の近接スイッチＢが密封装置本体２の近接スイッチＡに対応しているため、上カバー４２の近接スイッチＢに対応してセンサ状態となった近接スイッチＡは即応して密封装置本体２の各システムを構成する手段の制御回路に信号を出力する。この状態において、作業者は従来の一般的な密封装置と同様の操作を行なう。制御パネル２５の制御ボタン２５１を押下してフィルム供給機構２１と、プレス金型機構２２と、支持座２３と、押上げ機構２４などの各手段を設定に従って作動させて容器の開口部の密封作業を進行させる。したがって、作業者の両手は上カバー４２を操作し、密封装置本体２から離れた状態となり、密封装置本体２によって密封を行なう過程において作業者の手を傷つけることなく、作業の安全を確保することができる。
【００２９】
容器開口部の密封が完成した後は、支持座２３のテーブル２３１と、押上げ機構２４の容器支持座２４３とが、開口部の密封を完成させた容器を密封装置本体２の外部に送り出す。この場合、光透過性の面カバー４２５を介して開口部の密封を完成させた容器が密封装置本体２の外部に正確に送り出されたか確認することができる。容器の送り出しを視認した後、作業者は把手４２４を再度把持して上カバー４２を開放し、容器を取り出すことができる。
【００３０】
また、上カバー４２を上方向に回転させると、上カバー４２の近接スイッチＢが密封装置本体２の近接スイッチＡとのセンサ状態から離れる。この場合、密封装置本体２の近接スイッチＡは、例えばフィルム供給機構２１、プレス金型機構２２、支持座２３、押上げ機構２４などの密封装置本体２のそれぞれの手段の制御回路に信号を出力して作動を中断させる。この場合、制御ボタン２５１を操作しても、密封装置本体２のそれぞれの手段であるフィルム供給機構２１、プレス金型機構２２、支持座２３、押上げ機構２４は完全に停止して作動せず、再度作業者が上カバー４２を操作し、かつ上カバー４２の近接スイッチＢが再度密封装置本体２の近接スイッチＡに反応してセンサ状態になってはじめてフィルム供給機構２１、プレス金型機構２２、支持座２３、押上げ機構２４の正常な機能が回復する。
【００３１】
別途、特筆すべきはガイド溝４２２と位置決め部材４２３であって、上カバー４２の開放、又は閉蓋動作を行なう場合、上カバー４２は支軸４２１を中心にして上、又は下方向に回転する。この場合、円弧状を呈するガイド溝４２２は位置決め部材４２３の外部を摺動して位置がシフトする。上カバー４２の閉蓋が完了して閉鎖されると、ガイド溝４２２は、丁度一端が位置決め部材４２３に当止する。このため、上カバー４２を操作して閉蓋する場合に位置決めの効果が得られる。また、上カバー４２を回転させて開放した場合、ガイド溝４２２は他端が丁度位置決め部材４２３に当止する。よって、同様に位置決めの効果が得られる。即ち、支軸４２１と、円弧状のガイド溝４２２と、位置決め部材４２３の簡易な組み合わせることによって、上カバー４２を回転させて行なう封蓋動作、又は開放の動作を円滑に行うことができる。
【００３２】
この考案による密封装置の効果について述べる。この考案のセーフティーカバーを具えた密封装置は、密封装置本体２にセーフティーカバー３を設けてなり、セーフティーカバー３は密封装置本体２の底部正面側に固定する。ベース部３１の上端縁部の少なくとも一方の側には近接スイッチＡを設ける。近接スイッチＡは密封装置本体２内の制御回路の制御回路に電気的に接続する。上カバー３２はベース部３１の対応する位置の上に、支軸３２１によって回動自在に支持する。上カバー３２の外周側面には把手３２２を設け、上カバー３２の下端縁部であって、かつベース３１の近接スイッチＡに対応する位置に近接スイッチＢを設ける。作業者が上カバー３２を操作して閉蓋動作を行なうと、上カバー３２の近接スイッチＢが対応するベース部３１の近接スイッチＡを感知し、密封装置本体２のフィルム供給機構２１、プレス金型機構２２、支持座２３、押上げ機構２４などｎ手段が正常に作動する。係る構成によって、作業者の両手は上カバー３２を操作し、密封装置本体２から離れた状態となり、密封装置本体２によって密封を行なう過程において作業者の手を傷つけることなく、作業の安全を確保することができる。
【符号の説明】
【００３３】
１    密封装置
１１    セーフティーガード
１１１    タッチスイッチ
１２    送りモータ
１３    熱シール用モータ
１３１    ホットプレス金型
２    密封装置本体
２１    フィルム供給機構
２１１    駆動ローラセット
２１２    従動ローラセット
２１３    モータ
２２    プレス金型機構
２２１    ホットプレス金型
２２２    モータ
２２３    可動セーフティーガード
２２４    タッチスイッチ
２３    支持座
２３１    テーブル
２３２    押圧受け底部金型
２３３    モータ
２４    押上げ機構
２４１    ヘッダー部
２４２    プーリー
２４３    容器支持座
２４４    スライドブロック
２５    制御パネル
２５１    制御ボタン
２６    緩衝パッド
３    セーフティーカバー
３１    ベース部
３１１    収納空間
３２    上カバー
３２１    支軸
３２２    把手
３２３    収納空間
３２４    面カバー
４    セーフティーカバー
４１    ベース部
４１１    収納空間
４２    上カバー
４２１    支軸
４２２    ガイド溝
４２３    位置決め部材
４２４    把手
４２５    面カバー
Ａ    近接スイッチ
Ｂ    近接スイッチ
【図１】
0003226101.tif 000003
【図２】
0003226101.tif 000004
【図３】
0003226101.tif 000005
【図４】
0003226101.tif 000006
【図５】
0003226101.tif 000007
【図６】
0003226101.tif 000008
【図７】
0003226101.tif 000009
【図８】
0003226101.tif 000010
【図９】
0003226101.tif 000011
【図１０】
0003226101.tif 000012